(57)【特許請求の範囲】
【請求項１】
４：４：４形式の３信号からなる３チャンネルの第１の水平有効画素数を有する第１の映像データを、４：２：２形式の３信号からなる２チャンネルの第２の水平有効画素数を有する第２の映像データを伝送するための伝送路を用いて送信する映像データ送信方法であって、
前記第1の水平有効画素数は前記第２の水平有効画素数の２／３を超える数であり、
前記第２の映像データの２チャンネルを１系統としたとき、（前記第１の水平有効画素数）÷（前記第２の水平有効画素数）×３／２で得られた値の小数点以下を切り上げた整数値を、前記伝送路の複数系統の系統数として設定し、
前記第１の映像データの各チャンネルにおける第１の画素数分を、前記第２の映像データの各チャンネルにおける第１の画素数より小なる第２の画素数分に割り当てることによって、前記第１の映像データを前記複数系統の前記第２の映像データに変換し、
前記複数系統それぞれで、前記第２の映像データを４：２：２形式で規定される有効画像領域内にマッピングし、
マッピングした前記複数系統それぞれの前記第２の映像データをシリアル化して前記複数系統の伝送路により送信する
ことを特徴とする映像データ送信方法。
【請求項２】
前記複数系統の系統数は２であり、前記第１の画素数は４画素、前記第２の画素数は３画素であることを特徴とする請求項１に記載の映像データ送信方法。
【請求項３】
前記複数系統の系統数は４であり、前記第１の画素数は８画素、前記第２の画素数は３画素であることを特徴とする請求項１に記載の映像データ送信方法。
【請求項４】
前記有効画像領域の水平有効画素数と前記第２の映像データの水平有効画素数とが異なっており、
前記第２の映像データを前記有効画像領域内にマッピングするに際し、前記第２の映像データの各走査線に対応するデータ列を連続的に頭詰めで順にマッピングすることを特徴とする請求項１ないし３のいずれか１項に記載の映像データ送信方法。
【請求項５】
請求項１ないし４のいずれか１項に記載の映像データ送信方法によって送信された複数系統それぞれの第２の映像データを受信する映像データ受信方法であって、
前記複数系統それぞれで、２チャンネルの前記第２の映像データに復号化し、
復号化した前記第２の映像データを４：２：２形式で規定される有効画素領域内にマッピングし、
マッピングしたデータに基づいて前記複数系統の前記第２の映像データを取り出し、
取り出した前記第２の映像データの各チャンネルにおける前記第２の画素数分を前記第１の映像データの各チャンネルにおける前記第１の画素数分に割り当てることによって、前記第１の映像データを復元する
ことを特徴とする映像データ受信方法。
【発明の詳細な説明】
【技術分野】
【０００１】
この発明は、ＨＤＴＶ信号形式以外の映像データをＨＤＴＶ形式の各種伝送路に載せて伝送（送受信）する映像データ送受信方法に関する。
【背景技術】
【０００２】
現在、ＨＤＴＶ信号のデジタル伝送方式として、ＳＴＰＴＥ２９２Ｍ規格が運用されている。この伝送規格では、走査線数１１２５本（有効ライン数１０８０本、有効水平画素数１９２０ドット、フレーム周波数３０／１．００１Ｈｚ、インターレース操作の１０８０／６０Ｉ方式）を始めとするＳＭＰＴＥ２７４Ｍ規格の映像データを伝送することができる。
【０００３】
一方、画像表示デバイスの高解像度化も進んでおり、例えば有効画素数が水平２０４８×垂直１５３６を表示することができる画像表示デバイスも出現している（例えば、非特許文献１参照）。
【非特許文献１】フルＨＤＴＶ対応超解像度プロジェクタ、「映像情報メディア学会誌」Ｖｏｌ．５６，Ｎｏ．８，ｐｐ．１２１６〜１２１８
【特許文献１】特開２０００−１８８７３７
【発明の開示】
【発明が解決しようとする課題】
【０００４】
しかしながら、ＳＭＰＴＥ２９２Ｍ規格で扱われている形式は、例えば図１３に示すような、サンプリングレート７４．２５ＭＨｚ（又は７４．２５／１．００１ＭＨｚ）のＹ信号、サンプリングレート３７．１２５ＭＨｚ（又は３７．１２５／１．００１ＭＨｚ）のＰｂ、Ｐｒ信号形式の標準ＨＤＴＶ信号、いわゆる４：２：２形式の映像データであった。このため、プロジェクタで表示されるグラフィック画像など、ＲＧＢ４：４：４形式の映像データや標準ＨＤＴＶの画素数と一致していない形式の映像データはそのままでは伝送することができないという問題点があった。ちなみに、上記のような標準ＨＤＴＶ信号以外の映像データを伝送するには、専用の伝送規格で設計された伝送路が必要であり、低コストでデジタル伝送路を構成することは困難であった。
【０００５】
この発明の目的は、標準ＨＤＴＶ信号以外の映像データについてもＳＭＰＴＥ２９２Ｍ規格などの既存の伝送路を利用して伝送することができる映像データ送受信方法を提供することにある。
【課題を解決するための手段】
【０００６】
上記課題を解決するため、本発明は、次の（１）〜（５）の構成を有する映像データ送信方法及び映像データ受信方法を提供する。
（１）  ４：４：４形式の３信号からなる３チャンネルの第１の水平有効画素数を有する第１の映像データを、４：２：２形式の３信号からなる２チャンネルの第２の水平有効画素数を有する第２の映像データを伝送するための伝送路を用いて送信する映像データ送信方法であって、
前記第1の水平有効画素数は前記第２の水平有効画素数の２／３を超える数であり、
前記第２の映像データの２チャンネルを１系統としたとき、（前記第１の水平有効画素数）÷（前記第２の水平有効画素数）×３／２で得られた値の小数点以下を切り上げた整数値を、前記伝送路の複数系統の系統数として設定し、
前記第１の映像データの各チャンネルにおける第１の画素数分を前記第２の映像データの各チャンネルにおける第１の画素数より小なる第２の画素数分に割り当てることによって、前記第１の映像データを前記複数系統の前記第２の映像データに変換し、
前記複数系統それぞれで、前記第２の映像データを４：２：２形式で規定される有効画像領域内にマッピングし、
マッピングした前記複数系統それぞれの前記第２の映像データをシリアル化して前記複数系統の伝送路により送信する
ことを特徴とする映像データ送信方法。
（２）  前記複数系統の系統数は２であり、前記第１の画素数は４画素、前記第２の画素数は３画素であることを特徴とする上記（１）に記載の映像データ送信方法。
（３）  前記複数系統の系統数は４であり、前記第１の画素数は８画素、前記第２の画素数は３画素であることを特徴とする上記（１）に記載の映像データ送信方法。
（４）  前記有効画像領域の水平有効画素数と前記第２の映像データの水平有効画素数とが異なっており、
前記第２の映像データを前記有効画像領域内にマッピングするに際し、前記第２の映像データの各走査線に対応するデータ列を連続的に頭詰めで順にマッピングすることを特徴とする上記（１）ないし（３）のいずれか１に記載の映像データ送信方法。
（５）  上記（１）ないし（４）のいずれか１に記載の映像データ送信方法によって送信された複数系統それぞれの第２の映像データを受信する映像データ受信方法であって、
前記複数系統それぞれで、２チャンネルの前記第２の映像データに復号化し、
復号化した前記第２の映像データを４：２：２形式で規定される有効画素領域内にマッピングし、
マッピングしたデータに基づいて前記複数系統の前記第２の映像データを取り出し、
取り出した前記第２の映像データの各チャンネルにおける前記第２の画素数分を前記第１の映像データの各チャンネルにおける前記第１の画素数分に割り当てることによって、前記第１の映像データを復元する
ことを特徴とする映像データ受信方法。
【００１０】
好ましい形態として、前記４：４：４形式の３信号、並びに前記４：２：２形式の３信号を、それぞれＲＧＢの３信号、又はＹ、Ｐｒ、Ｐｂの３信号、又はＹ、Ｒ−Ｙ、Ｂ−Ｙの３信号とする。
【発明の効果】
【００１１】
本発明によれば、プロジェクタで表示されるグラフィック画像など、ＲＧＢ４：４：４形式の映像データや標準ＨＤＴＶの画素数と一致していない形式の映像データであっても、ＳＭＰＴＥ２９２Ｍ規格などの既存の伝送路により伝送することができる。また、標準ＨＤＴＶ信号以外の映像データを伝送する場合でも専用の伝送路を用意する必要がなく、現在広く普及しているＳＭＰＴＥ２９２Ｍ規格のエンコーダやデコーダを用いることができるため、低コストでデジタル伝送路を構成することができる。
【発明を実施するための最良の形態】
【００１２】
以下、本発明に係わる映像データ送受信方法を、ＶＴＲなどの再生装置（送信側）からプロジェクタなどの表示装置（受信側）への映像データ伝送に適用した場合の実施の形態について説明する。ここでは、発明の特徴的な部分であるデータの受け渡し部分についてのみ図示し、他の部分の図示及び説明は省略する。
【００１３】
［実施の形態１］
この実施の形態１では、ＲＧＢ４：４：４のグラフィックス形式として、水平有効画素数が１２８０、垂直有効画素数が１０２４で構成され、且つフレーム周波数が２４Ｈｚの映像データに対し、ＳＭＰＴＥ２９２Ｍ伝送規格を利用する場合について説明する。
【００１４】
図１は、実施の形態１に係わる映像データ送受信方法を実施するための回路構成を示すブロック図である。
【００１５】
図１に示すように、送信側の出力段に設けられた送信系１００は、データ変換部１０１、エンコーダ１０２を備えている。また受信側の入力段に設けられた受信系２００は、デコーダ２０１、データ変換部２０２を備えている。また、エンコーダ１０２とデコーダ２０１との間はＳＭＰＴＥ２９２Ｍ伝送規格の伝送路１０により接続されている。
【００１６】
送信系１００において、データ変換部１０１には図２（上図）に示すような原映像データが入力される。この原映像データは、各１０ビットのＲＧＢ信号からなる３チャンネルの映像データであり、４：４：４形式で構成されている。図２では、ある１有効水平期間でのデータ列を示している。データ変換部１０１は、原映像データの２画素分のデータを、既存の標準ＨＤＴＶ信号である４：２：２形式の３画素分に割り当てて、図２（下図）に示すような２チャンネルの映像データに変換する。原映像データは３チャンネルで、一有効水平期間において１２８０画素数（３０ビット）をもつが、変換された２チャンネルの映像データは２チャンネルで、一有効水平期間において１９２０画素数をもつ。
【００１７】
エンコーダ１０２は、上記２チャンネルの映像データを図３に示すようなＳＭＰＴＥＭ規格の有効画像領域内にマッピングし、ＳＡＶ、ＥＡＶコード及びブランキング期間等を付加して送信用の映像データを作成する。水平１９２０×垂直１０２４の映像データは、マッピングされる水平２７５０×垂直１１２５の領域のうち、水平ライン４２〜１０６６の範囲を占めている。このように、マッピングされた後の総画素数は水平２７５０×垂直１１２５となり、フレーム周波数が２４Ｈｚであるので、サンプリング周波数は標準ＨＤＴＶ信号の７４．２５ＭＨｚと同じとなる。そのほか、ＳＭＰＴＥＭ規格における１０８０／２４ｐ形式と垂直有効画素数の相違を除いて一致している。エンコーダ１０２では、さらに１０ビット、２チャンネルからなる送信用の映像データをシリアル化して、ＳＭＰＴＥ２９２Ｍ規格の伝送路１０を介して伝送する。
【００１８】
受信系２００においては、送信系１００とは逆の順序で原映像データを復元する。まずデコーダ２０１は、伝送されてきたデータを、２×１０ビット、２チャンネルからなる送信用の映像データに復号化し、さらに、復号化したデータを図３に示すＳＭＰＴＥＭ規格の有効画像領域内にマッピングして、ＳＡＶ、ＥＡＶコード及びブランキング期間等を取り除いて、図２（下図）に示すような２チャンネルからなる映像データとして取り出す。
【００１９】
データ変換部２０２は、取り出された映像データの３画素分のデータを、４：４：４形式の２画素分に割り当てて、図２（上図）に示すような元の４：４：４形式の３チャンネルの映像データ（原映像データ）に復元する。
【００２０】
したがって、実施の形態１によれば、標準ＨＤＴＶ信号の形式に対応していないＲＧＢ４：４：４形式の映像データについても、既存のＳＭＰＴＥ２９２Ｍ規格による伝送路を利用してデータ伝送を行うことができる。
【００２１】
［実施の形態２］
この実施の形態２では、ＲＧＢ４：４：４のグラフィックス形式として、水平有効画素数２０４８、垂直有効画素数１５３６で構成され、且つフレーム周波数が２４Ｈｚの映像データに対し、ＳＭＰＴＥ２９２Ｍ伝送規格の伝送路を利用する場合について説明する。この例では、ＲＧＢ４：４：４形式の映像データの水平有効画素数２０４８が、後述する水平垂直の有効画素数に配分した際の４：２：２伝送路の水平有効画素数１５３６の２／３を超えているため、２系統の伝送路を配置している。
【００２２】
図４は、実施の形態２に係わる映像データ送受信方法を実施するための回路構成を示すブロック図である。
【００２３】
図４に示すように、送信側の出力段に設けられた送信系１１０は、データ変換部１１１、エンコーダ１１２−１、同１１２−２を備えている。また受信側の入力段に設けられた受信系２１０は、デコーダ２１１−１、同２１１−２、データ変換部２１２を備えている。また、エンコーダ１１２−１とデコーダ２１１−１との間はＳＭＰＴＥ２９２Ｍ伝送規格の伝送路１１により接続され、エンコーダ１１２−２とデコーダ２１１−２との間はＳＭＰＴＥ２９２Ｍ伝送規格の伝送路１２により接続されている。
【００２４】
送信系１１０において、データ変換部１１１には図５（上図）に示すような原映像データが入力される。この原映像データは、各１０ビットのＲＧＢ信号からなる３チャンネルの映像データであり、４：４：４形式で構成されている。図５では、ある１有効水平期間でのデータ列を示している。データ変換部１１１は、原映像データの４画素分のデータを、既存の標準ＨＤＴＶ信号である４：２：２形式の３画素分に割り当てて、図５（下図）に示すような４チャンネルの映像データに変換する。ここでは、原映像データに含まれる画素を、偶数画素（ｅｖｅｎ）Ｒ０，Ｒ２，Ｒ４，…、Ｇ０，Ｇ２，Ｇ４，…、Ｂ０，Ｂ２，Ｂ４，…と、奇数画素（ｏｄｄ）Ｒ１，Ｒ３，Ｒ５，…、Ｇ１，Ｇ３，Ｇ５，…、Ｂ１，Ｂ３，Ｂ５，…に分け、それぞれを２チャネル（ｅｖｅｎ２ｃｈ，ｏｄｄ２ｃｈ）に割り当てて４チャンネルの映像データとしている。すなわち、原映像データに含まれる４画素分のデータのうち、２画素分のデータを１チャンネルの３画素分に割り当てることにより、４画素分のデータは４：２：２形式の３画素分に割り当てられることになる。これにより、ＲＧＢ４：４：４形式では水平有効画素数２０４８で３チャンネルの映像データであったものが、水平有効画素数１５３６の４チャンネルの映像データに変換されたことになる。
【００２５】
エンコーダ１１２−１、同１１２−２は、図５（下図）に示す４チャンネルの映像データを２チャンネル毎に組み合わせて、それぞれＳＭＰＴＥ規格の有効画像領域内にマッピングし、ＳＡＶ、ＥＡＶコード及びブランキング期間等を付加して送信用の映像データを作成する。ここで、ＳＭＰＴＥ２７４Ｍ規格においては、垂直有効画素数１５３６を満足する標準信号はないが、図６に示すように送信用の映像データにおける総画素数を水平１８７５×垂直１６５０（又は水平１６５０×垂直１８７５）とし、有効画素数を水平１５３６×垂直１５３６とすれば、サンプリング周波数は７４．２５ＭＨｚとなるため、ＳＭＰＴＥ２９２Ｍのエンコーダやデコーダを利用することができる。エンコーダ１１２−１、同１１２−２では、さらに、それぞれ２×１０ビット、２チャンネルからなる送信用の映像データをシリアル化して、ＳＭＰＴＥ２９２Ｍ規格の伝送路１１，１２を介して伝送する。
【００２６】
受信系２１０においては、送信系１１０とは逆の順序で原映像データを復元する。まずデコーダ２１１−１，同２１１−２は、伝送されてきたデータを、それぞれ２×１０ビット、２チャンネルからなる送信用の映像データに復号化し、さらに、復号化したデータを図６に示すＳＭＰＴＥＭ規格の有効画像領域内にマッピングして、ＳＡＶ、ＥＡＶコード及びブランキング期間等を取り除くことにより、図５（下図）に示すような１０ビット、４ャンネルからなる映像データとして取り出す。
【００２７】
データ変換部２１２は、取り出された映像データの３画素分のデータを、４：４：４形式の４画素分に割り当てて、図５（上図）に示すような元の４：４：４形式の１０ビット、３チャンネルの映像データ（原映像データ）に復元する。
【００２８】
したがって、実施の形態２によれば、有効画素数が水平２０４８×垂直１５３６で構成される映像データについても、既存のＳＭＰＴＥ２９２Ｍ規格による伝送路を２系統用いることによりデータ伝送することができる。
【００２９】
［実施の形態３］
この実施の形態３では、ＲＧＢ４：４：４のグラフィックス形式として、水平有効画素数２０４８、垂直有効画素数１５３６で構成され、且つフレーム周波数が２４Ｈｚの映像データに対し、ＳＭＰＴＥ２９２Ｍ伝送規格の伝送路を利用する場合について説明する。この例においても、実施の形態と同じく２系統の伝送路を配置している。
【００３０】
図７は、実施の形態３に係わる映像データ送受信方法を実施するための回路構成を示すブロック図である。
【００３１】
図７に示すように、送信側の出力段に設けられた送信系１２０は、データ変換部１２１、エンコーダ１２２−１、同１２２−２を備えている。また受信側の入力段に設けられた受信系２２０は、デコーダ２２１−１、同２２１−２、データ変換部２２２を備えている。また、エンコーダ１２２−１とデコーダ２２１−１との間はＳＭＰＴＥ２９２Ｍ伝送規格の伝送路１３により接続され、エンコーダ１２２−２とデコーダ２２１−２との間はＳＭＰＴＥ２９２Ｍ伝送規格の伝送路１４により接続されている。
【００３２】
送信系１２０において、データ変換部１２１には、実施の形態２の場合と同じく図５（上図）に示すような原映像データが入力される。この原映像データは、各１０ビットのＲＧＢ信号からなる３チャンネルの映像データであり、４：４：４形式で構成されている。データ変換部１２１では、原映像データの４画素分のデータを、既存の標準ＨＤＴＶ信号である４：２：２形式の３画素分に割り当てて、図５（下図）に示すような４チャンネルの映像データに変換する。これにより、ＲＧＢ４：４：４形式では水平有効画素数２０４８で３チャンネルの映像データであったものが、水平有効画素数１５３６の４チャンネルの映像データに変換されたことになる。
【００３３】
この映像データをシリアル化して伝送する場合、１５３６（水平）×１５３６（垂直）×２４（Ｈｚ）×１０（ｂｉｔ）×４（チャンネル）＝約２．２６５Ｇｂｐｓとなる。したがって、この映像データをＳＭＰＴＥ２９２Ｍ規格と同等の伝送速度１．４８５Ｇｂｐｓにシリアル化して伝送するために、４チャンネルを２チャンネルずつに分割し、２つの伝送路１３，同１４を利用して伝送する。ただし、有効画素数（水平）１５３６×（垂直）１５３６は、フレーム周波数２４Ｈｚの標準ＨＤＴＶ信号（いわゆる１０８０×２４ｐ）としてＳＭＰＴＥ２７４Ｍで規定されている１９２０×１０８０よりも多くなってしまう。しかし、ブランキング期間を用いれば、有効サンプル数を割り当てることは可能である。ＳＭＰＴＥ２９２Ｍにおいては、それぞれ１０ｂｉｔのＹとＣの２チャンネル分が伝送できるので、２系統のＳＭＰＴＥ２９２Ｍ伝送路があれば有効画素数（水平）１５３６×（垂直）１５３６を伝送することができる。
【００３４】
そこで、エンコーダ１２２−１、同１２２−２では、図８に示すように、１０８０×２４ｐ形式の総画素数のうち、水平２１１２×垂直１１１８を有効エリアとしてマッピングする。このとき、有効エリアの画素数である水平２１１２×垂直１１１８は１５３６×１５３６よりも大きいため、垂直１５３６の各走査線に対応するデータ列＃１，＃２，…を頭詰めで順にマッピングする。このようにして隙間なくデータを詰めながらマッピングした場合、最後の１１１８ライン目には端数として１９２０画素分の空白ができるが、ここには、図８に示すような固定レベル（ペデスタルレベルの０４０ｈなど）を挿入する。また、ＳＡＶ、ＥＡＶコード及びブランキング期間等を付加して送信用の映像データを作成する。
【００３５】
さらに、エンコーダ１２２−１、同１２２−２では、それぞれ２×１０ビット、２チャンネルからなる送信用の映像データをシリアル化して、ＳＭＰＴＥ２９２Ｍ規格の伝送路１３，１４を介して伝送する。
【００３６】
受信系２２０においては、送信系１２０とは逆の順序で原映像データを復元する。まずデコーダ２１１−１，同２１１−２は、伝送されてきたデータを、それぞれ２×１０ビット、２チャンネルからなる送信用の映像データに復号化し、さらに、復号化したデータを図８に示したように水平２１１２×垂直１１１８の有効画像エリア内にマッピングし、１５３６画素毎にデータ列を切り出すとともに、ＳＡＶ、ＥＡＶコード及びブランキング期間等を取り除くことにより、図５（下図）に示すような１０ビット、４ャンネルからなる映像データとして取り出す。
【００３７】
データ変換部２２２は、取り出された映像データの３画素分のデータを、４：４：４形式の４画素分に割り当てて、図５（上図）に示すような元の４：４：４形式の１０ビット、３チャンネルの映像データ（原映像データ）に復元する。
【００３８】
なお、画素数が同じでフレーム周波数が２５Ｈｚである場合、フレーム周波数が２５Ｈｚの標準ＨＤＴＶ信号（いわゆる１０８０／２５ｐ）にマッピングする。この場合、図８（右図）における水平ブランキングも含めた総画素数は２７５０ではなく、２６４０である。それ以外は全く同じ方法で実現できる。
【００３９】
また、画素数が同じでフレーム周波数が３０Ｈｚである場合、フレーム周波数が３０Ｈｚの標準ＨＤＴＶ信号（いわゆる１０８０／３０ｐ）にマッピングする。この場合、図８（右図）における水平ブランキングも含めた総画素数は２７５０ではなく２２００である。それ以外は全く同じ方法で実現できる。
【００４０】
また、有効エリアの画素数は水平２１１２×垂直１１１８に限定されるものではない。求められる条件としては、１５３６×１５３６（２０４８×１５３６／４）≦Ｈ×Ｖを満たすＨ（水平有効画素数）、Ｖ（垂直有効画素数）であり、かつＨ≦２１８８（３０Ｈｚの場合）、Ｖ≦１１２５となることである。ここで、２１８８とは水平総画素数２２００からＥＡＶ、ＳＡＶ分とＬＮ(line number)、ＣＲＣ(cycle redundancy code)分を差し引いた値である。
【００４１】
したがって、実施の形態３によれば、有効画素数が水平２０４８×垂直１５３６で構成される映像データについても、既存のＳＭＰＴＥ２９２Ｍ規格による伝送路を２系統用いることによりデータ伝送することができる。
【００４２】
［実施の形態４］
この実施の形態４では、ＲＧＢ４：４：４のグラフィックス形式として、水平有効画素数２０４８、垂直有効画素数１５３６の画素数で構成され、フレーム周波数が６０Ｈｚの映像データに対し、ＳＭＰＴＥ２９２Ｍ伝送規格の伝送路を利用する場合について説明する。
【００４３】
図９は、実施の形態４に係わる映像データ送受信方法を実施するための回路構成を示すブロック図である。
【００４４】
図９に示すように、送信側の出力段に設けられた送信系１３０は、データ変換部１３１、エンコーダ１３２−１、同１３２−２、同１３２−３、同１３２−４を備えている。また受信側の入力段に設けられた受信系２３０は、デコーダ２３１−１、同２３１−２、同２３１−３、同２３１−４、データ変換部２３２を備えている。また、エンコーダ１３２−１とデコーダ２３１−１との間はＳＭＰＴＥ２９２Ｍ伝送規格の伝送路１５により接続され、エンコーダ１３２−２とデコーダ２３１−２との間はＳＭＰＴＥ２９２Ｍ伝送規格の伝送路１６により接続されている。さらに、エンコーダ１３２−３とデコーダ２３１−３との間はＳＭＰＴＥ２９２Ｍ伝送規格の伝送路１７により接続され、エンコーダ１３２−４とデコーダ２３１−４との間はＳＭＰＴＥ２９２Ｍ伝送規格の伝送路１８により接続されている。
【００４５】
送信系１３０において、データ変換部１３１には、実施の形態２の場合と同じく図１０（上図）に示すような原映像データが入力される。この原映像データは、各１０ビットのＲＧＢ信号からなる３チャンネルの映像データであり、４：４：４形式で構成されている。ただし、本実施の形態では、インターレース方式のフィールド周波数６０Ｈｚの標準ＨＤＴＶ信号（いわゆる１０８０／６０ｉ）を利用している。この場合、１フィールド当たりの総ライン数は１１２５／２であり、実施の形態３で示したような、２系統のＳＭＰＴＥ２９２Ｍ伝送規格の伝送路では、伝送することができない。そこで、原映像データの８画素分のデータを、既存の標準ＨＤＴＶ信号である４：２：２形式の３画素分に割り当てて、図１０（下図）に示すようなＡ相、Ｂ相、Ｃ相、Ｄ相（各２チャンネル）からなる８チャンネルの映像データに変換する。これにより、ＲＧＢ４：４：４形式では水平有効画素数２０４８で３チャンネルの映像データであったものが、水平有効画素数７６８の８チャンネルの映像データに変換されたことになる。
【００４６】
この映像データをシリアル化して伝送する場合、７６８（水平）×１５３６（垂直）×６０（Ｈｚ）×１０（ｂｉｔ）×８（チャンネル）＝約５．６６２Ｇｂｐｓとなる。したがって、この映像データをＳＭＰＴＥ２９２Ｍ規格と同等の伝送速度１．４８５Ｇｂｐｓにシリアル化して伝送するために、８チャンネルを２チャンネルずつに分割し、４つの伝送路１５〜１８を利用して伝送する。
【００４７】
エンコーダ１３２−１〜１３２−４では、それぞれ図１１に示すように、１０８０／６０ｉ形式に対する７６８×１５３６データをマッピングする。すなわち、ＳＭＰＴＥ２７４Ｍ規格における１０８０／６０ｉ形式では、フレーム構造で規定されているので、第１フィールド、第２フィールドそれぞれに水平２１１２×垂直５５９ラインの有効エリアを作り、これに７６８×１５３６のデータをマッピングする。この場合も、垂直１５３６の各走査線に対応するデータ列＃１，＃２，…を頭詰めで順にマッピングする。また、この場合も、最後の１１１８ライン目には端数として１９２０画素分の空白ができるが、実施の形態３と同じく固定レベル（ペデスタルレベルの０４０ｈなど）を挿入する。
【００４８】
エンコーダ１３２−１〜１３２−４では、図１１（右図）のようにマッピングされた、それぞれ２×１０ビット、４チャンネルからなる送信用の映像データをシリアル化して、ＳＭＰＴＥ２９２Ｍ規格の伝送路１５〜１８を介して伝送する。
【００４９】
受信系２３０においては、送信系１３０とは逆の順序で原映像データを復元する。まず、デコーダ２３１−１〜２３１−４は、伝送されてきたデータを、それぞれ２×１０ビット、４チャンネルからなる送信用の映像データに復号化し、さらに、復号化したデータを図１１に示したように水平２１１２×垂直５５９の有効画像エリア内にマッピングし、それぞれのエリアから１５３６画素毎にデータ列を切り出すとともに、ＳＡＶ、ＥＡＶコード及びブランキング期間等を取り除くことにより、図１０（下図）に示すような２×１０ビット、８ャンネルからなる映像データとして取り出す。
【００５０】
データ変換部２３２は、取り出された映像データの３画素分のデータを、４：４：４形式の４画素分に割り当てて、図１０（上図）に示すような元の４：４：４形式の１０ビット、３チャンネルの映像データ（原映像データ）に復元する。
【００５１】
なお、画素数が同じでフレーム周波数が５０Ｈｚや４８Ｈｚである場合、フィールド周波数が５０Ｈｚや４８Ｈｚの標準ＨＤＴＶ信号（いわゆる１０８０／５０ｉ、１０８０／２４ｓｆ）にマッピングする。この場合、図１１（右図）における水平ブランキング期間も含めた総画素数は２２００ではなく、５０Ｈｚの場合は２６４０、４８Ｈｚの場合は２７５０である。それ以外は全く同じ方法で実現できる。
【００５２】
上記実施の形態３及び４では、垂直１５３６の各走査線に対応するデータ列＃１，＃２，…を頭詰めで順にマッピングした場合に、最後の１１１８ライン目に生じる１９２０画素分の空白部分に固定レベルを挿入する例について示したが、この空白部分には、表示装置を制御するための付加データを挿入するようにしてもよい。付加データとしては、例えば色温度や色度点というようなカラーマネージメントデータなど映像コンテンツに関する情報である。このような付加データを挿入することにより、プロジェクタなどの再生装置（送信系がみ込まれている）と表示装置（受信系が組み込まれている）とが離れていても、映像コンテンツに応じて自動的にカラーマネージメントを行うことができる。実施の形態４において、固定レベルの代わりに付加データを挿入した例を図１２に示す。
【００５３】
また、付加データとしては、複数系統ある伝送路の識別データを用いることができる。このような識別データを付加することにより、ユーザーによるケーブルの接続間違いを防ぐことができる。この場合、識別データを受け取った受信側の再生装置では、接続間違いであるか否かをメッセージにて表示する対応のほか、受信側の再生装置で自動的にデータを入れ替えて正確な画像に再現するなどの対応が考えられる。ただし、付加データにはＳＭＰＴＥ２９２Ｍで伝送が禁じられている０００ｈ〜００３ｈ、３ＦＣｈ〜３ＦＦｈのデータは用いないこととする。
【００５４】
上記実施の形態１〜４では、ＲＧＢ４：４：４形式の映像データについて示したが、Ｙ、Ｐｒ、Ｐｂ（又はＹ、Ｒ−Ｙ、Ｂ−Ｙ）４：４：４形式の映像データに適用することもできる。例えば図２（上図）において、ＲをＰｒ、ＧをＹ、ＢをＰｂと置き換えた３チャンネルの映像データとする。
【００５５】
また実施の形態１〜４では、データのマッピングをエンコーダやデコーダ内で行うようにしているが、エンコーダの前段、及びデコーダの後段にメモリを備えたマッピング部を配置した構成としてもよい。
【図面の簡単な説明】
【００５６】
【図１】実施の形態１に係わる映像データ送受信方法を実施するための回路構成を示すブロック図。
【図２】実施の形態１における原映像データと変換された映像データを示す説明図。
【図３】実施の形態１における映像データのマッピングを示す説明図。
【図４】実施の形態２に係わる映像データ送受信方法を実施するための回路構成を示すブロック図。
【図５】実施の形態２における原映像データと変換された映像データを示す説明図。
【図６】実施の形態２における映像データのマッピングを示す説明図。
【図７】実施の形態３に係わる映像データ送受信方法を実施するための回路構成を示すブロック図。
【図８】実施の形態３における映像データのマッピングを示す説明図。
【図９】実施の形態４に係わる映像データ送受信方法を実施するための回路構成を示すブロック図。
【図１０】実施の形態４における原映像データと変換された映像データを示す説明図。
【図１１】実施の形態４における映像データのマッピングを示す説明図。
【図１２】実施の形態３及び４において付加データを挿入した映像データのマッピングを示す説明図。
【図１３】ＳＭＰＴＥ２９２Ｍ規格で扱われている４：２：２形式の映像データを示す説明図。
【符号の説明】
【００５７】
１０１，１１１，１２１，１３１：データ変換部（送信系）
２０２，２１２，２２２，２３２：データ変換部（受信系）
１０２，１１２−１，１１２−２，１２２−１，１２２−２，１３２−１〜１３２−４：エンコーダ
２０１，２１１−１，２１１−２，２２１−１，２２１−２，２３２−１〜２３２−４：デコーダ
【図１】
0004277695.tif 000002
【図２】
0004277695.tif 000003
【図３】
0004277695.tif 000004
【図４】
0004277695.tif 000005
【図５】
0004277695.tif 000006
【図６】
0004277695.tif 000007
【図７】
0004277695.tif 000008
【図８】
0004277695.tif 000009
【図９】
0004277695.tif 000010
【図１０】
0004277695.tif 000011
【図１１】
0004277695.tif 000012
【図１２】
0004277695.tif 000013
【図１３】
0004277695.tif 000014